(57)【要約】      （修正有）【課題】水洗式便器本体のリム内側とリム内縁下部を同時に洗浄できるトイレ用洗浄ブラシを提供する。【解決手段】複数本の洗浄毛３を束ねてなる毛束４が植毛台２に複数植設されている。植毛台２の植毛面５は、先端部領域６と、先端部領域６の後方の柄８側の後方部領域７を有しており、先端部領域６に植設された先端毛束群９と後方部領域７に植設された後方毛束群１０は、各々統一された特徴を備え、且つ後方毛束群１０を構成する洗浄毛３の平均毛丈が、先端毛束群９を構成する洗浄毛３の平均毛丈よりも短くなっている。【選択図】図１
0003163955.tif 000002
【実用新案登録請求の範囲】
【請求項１】
複数本の洗浄毛（３）を束ねてなる毛束（４）が植毛台（２）に複数植設されているトイレ用洗浄ブラシ（１）であって、前記植毛台（２）の植毛面（５）は、先端部領域（６）と、該先端部領域（６）の後方の柄（８）側の後方部領域（７）を有しており、前記先端部領域（６）に植設された先端毛束群（９）と前記後方部領域（７）に植設された後方毛束群（１０）は、各々統一された特徴を備え、且つ前記後方毛束群（１０）を構成する洗浄毛（３）の平均毛丈が、前記先端毛束群（９）を構成する洗浄毛（３）の平均毛丈よりも短くなっているトイレ用洗浄ブラシ（１）。
【請求項２】
前記後方毛束群（１０）を構成する洗浄毛（３）の平均毛丈が、前記先端毛束群（９）を構成する洗浄毛（３）の平均毛丈の０．２から０．８倍の長さである請求項１記載のトイレ用洗浄ブラシ（１）。
【考案の詳細な説明】
【技術分野】
【０００１】  本考案は、トイレ用洗浄ブラシに関し、特に水洗式便器本体のリム内側とリム内縁下部が同時に洗浄出来るトイレ用洗浄ブラシに関する。
【背景技術】
【０００２】  従来、水洗式便器本体のリム内側を洗浄するいわゆる裏側洗い専用ブラシや洗浄毛を束ねてなる毛束が植毛台に複数植設されているトイレ用洗浄ブラシのうちブラシの植毛面がＬ字形状に形成されていて、リム内側を洗浄する両用型トイレ洗浄ブラシが知られている。
【考案の概要】
【考案が解決しようとする課題】
【０００３】  しかしながら、裏側洗い専用ブラシにおいては、リム内側を洗浄することを目的としているため、例えば毛束を長くし、植毛台自体が小さく構成されたものであるので便器本体の便鉢やリム内縁下部を洗う事が非常に難しかった。【０００４】  一方、植毛面がＬ字形状に形成された両用型トイレ洗浄ブラシにおいては、毛束の毛丈がほぼ同じであるため、リム内側、便鉢等のそれぞれの箇所において確実に洗浄毛が洗浄部に当たるよう、使用者が柄の握る方向等を持ち直す等考慮して使用しなければならない欠点があった。
【問題を解決するための手段】
【０００５】  本考案のトイレ用洗浄ブラシは、複数本の洗浄毛（３）を束ねてなる毛束（４）が植毛台（２）に複数植設されているトイレ用洗浄ブラシ（１）であって、前記植毛台（２）の植毛面（５）は、先端部領域（６）と、該先端部領域（６）の後方の柄（８）側の後方部領域（７）を有しており、前記先端部領域（６）に植設された先端毛束群（９）と前記後方部領域（７）に植設された後方毛束群（１０）は、各々統一された特徴を備え、且つ前記後方毛束群（１０）を構成する洗浄毛（３）の平均毛丈が、前記先端毛束群（９）を構成する洗浄毛（３）の平均毛丈よりも短くなっている事を特徴とし、特に前記後方毛束群（１０）を構成する洗浄毛（３）の平均毛丈が、前記先端毛束群（９）を構成する洗浄毛（３）の平均毛丈の０．２から０．８倍の長さである事を特徴とする。
【考案の効果】
【０００６】  本考案のトイレ用洗浄ブラシは、植毛面が先端部領域とその後方の柄側の後方部領域を有しており、前記先端部領域に植設された先端毛束群と前記後方部領域に植設された後方毛束群が各々統一された特徴を備えており、特に前記後方毛束群を構成する洗浄毛の平均毛丈が、前記先端毛束群を構成する洗浄毛の平均毛丈よりも短く構成されているため、洗浄毛を便鉢に沿ってリム内側に先端毛束群を押し入れてブラッシングすると特に洗いづらかったリム内縁下部に毛丈の短い後方毛束群の洗浄毛が当たって汚れを同時に洗浄する事が出来る優れたものとなる。
【０００７】  特に後方毛束群を構成する洗浄毛の平均毛丈が、先端毛束群を構成する洗浄毛の平均毛丈の０．２から０．８倍程度と短い長さにする事で柄の中心軸から鋭角にリム内縁下部に後方毛束群の洗浄毛が確実に当たるため、使用者が握った柄を便器内に下げる事の無い清潔で洗い易いものとなる。
【図面の簡単な説明】
【０００８】
【図１】本考案の一実施例を示す斜視図である。
【図２】本考案の使用時の一実施例を示す斜視図である。
【図３】本考案の図１のものを別の方向からみた斜視図である。
【考案を実施するための形態】
【０００９】  本考案におけるトイレ用洗浄ブラシの大きさ、デザイン、材質、製造方法等は特に限定される事はない。
【００１０】  なお、易加工性やコストの面から例えばポリプロピレン等の樹脂成形でブラシ本体は製造されるのが好ましく、同様に洗浄毛も樹脂からなるものが好ましい。
【００１１】  植毛面への毛束の植毛方法も、公知の植毛機を用いて、穴あけを行いながら植毛されるのが好ましい。
【００１２】  また、植毛面は平面のみならず一定の曲率を有する曲面であっても良く、先端毛束群がリム内側や便鉢の形状に沿いやすくするように半円形状とするのが好ましい。
以下、実施例と図に基づき説明する。
【実施例】
【００１３】  以下、本考案の一実施例を図１、図２及び図３で説明するが、これによって本考案は何ら限定されるものではない。【００１４】  図１は、本考案の一実施例を示し、柄（８）と植毛台（２）が一体形成されたブラシ本体の植毛面（５）において、先端部領域（６）と、該先端部領域（６）の後方の柄（８）側の後方部領域を有しており、一定の長さを有する先端部領域（６）に植設された先端毛束群（９）が半円形状の植毛面（５）に設けられ、一方前記先端毛束群（９）を構成する洗浄毛（３）の平均毛丈より短く形成された前記後方部領域（７）に植設された後方毛束群（１０）から成る事を示している。【００１５】  図２は、本考案の便器のリム部周辺を洗浄する際、先端毛束群（９）が、便鉢（１４）部やリム内側（１２）に当たれば、後方毛束群（１０）がリム内縁下部（１３）に同時に当たり、ブラシを上下左右に動かすだけでリム部周辺を一度に洗浄出来る様子を表している。【００１６】  図３は、図１の本考案のものを別の角度から見たものである。
【産業上の利用の可能性】
【００１７】  植毛面が、先端部領域とその後方の柄側の後方部領域を有しており、前記先端部領域に植設された先端毛束群と前記後方領域に植設された後方毛束群が各々統一された特徴を備えており、特に前記後方毛束群を構成する洗浄毛の平均毛丈が、前記先端毛束群を構成する清浄毛の平均毛丈よりも特に０．２から０．８倍程度の長さにすることにより、特に洗いづらかったリム内縁下部に後方毛束群の洗浄毛が当たり、便鉢に沿ってリム内側には先端毛束群が確実に届いてブラッシング出来る優れたものとなる。
【００１８】  一方、柄の中心軸から鋭角にリム内縁下部に後方毛束群の洗浄毛が当たるため、柄を便器内に下げて手を入れる事の無い清潔で洗い易いものとなる。
【符号の説明】
【００１９】  １  トイレ用洗浄ブラシ    ２  植毛台    ３  洗浄毛
４  毛束    ５  植毛面    ６  先端部領域    ７  後方部領域
８  柄    ９  先端毛束群    １０  後方毛束群    １１  リム
１２  リム内側    １３  リム内縁下部    １４  便鉢
【図１】
0003163955.tif 000003
【図２】
0003163955.tif 000004
【図３】
0003163955.tif 000005